(57)【要約】【課題】蓋を閉じるとオスコネクタが装置本体のメスコネクタから外れる情報処理装置、情報処理装置の制御方法、及びプログラムを提供する。【解決手段】第１の筐体と第２の筐体とがヒンジ部により少なくとも開状態または閉状態になるように回動自在に連結された折り畳み型の情報処理装置であって、電子機器に接続され、情報処理装置が開状態のときに第２の筐体のメスコネクタに差し込まれたオスコネクタを、情報処理装置が閉状態になるとメスコネクタから押し出す押し出し手段を有する。【選択図】図５
2014123178.tif 000002
【特許請求の範囲】
【請求項１】
第１の筐体と第２の筐体とがヒンジ部により少なくとも開状態または閉状態になるように回動自在に連結された折り畳み型の情報処理装置であって、
電子機器に接続され、該情報処理装置が開状態のときに前記第２の筐体のメスコネクタに差し込まれたオスコネクタを、該情報処理装置が閉状態になると前記メスコネクタから押し出す押し出し手段を有することを特徴とする情報処理装置。
【請求項２】
前記メスコネクタは、前記オスコネクタが差し込まれる貫通孔が形成され、
前記押し出し手段は、前記メスコネクタの貫通孔に前記第２の筐体内から一端が挿入自在なロッドと、
モーターと、
前記モーターの出力軸の回転に応じて所定の回転数で回転するピニオンギヤと、
前記ロッドの他端に設けられ、前記ピニオンギヤと噛み合うラックギヤと、
前記第１の筐体が閉じられると検知し、前記モーターを駆動させる駆動信号を発する検知手段と、を備えたことを特徴とする請求項１記載の情報処理装置。
【請求項３】
前記メスコネクタは、前記オスコネクタが差し込まれる貫通孔が形成され、
前記押し出し手段は、前記メスコネクタの貫通孔に前記第２の筐体内から一端が挿入自在なロッドと、
モーターと、
前記モーターの出力軸の回転に応じて所定の回転数で回転するピニオンギヤと、
前記ロッドの他端に設けられ、前記ピニオンギヤと噛み合うラックギヤと、
前記第１の筐体が閉じられると検知する検知手段と、
前記検知手段が前記第１の筐体が閉じられたことを検知すると、前記メスコネクタに接続されたオスコネクタにさらに接続されたデバイスと論理的に切断してから前記モーターを駆動させる駆動信号を発する発信手段と、を備えたことを特徴とする請求項１記載の情報処理装置。
【請求項４】
前記メスコネクタは、前記オスコネクタが差し込まれる貫通孔が形成され、
前記押し出し手段は、前記ヒンジ部に設けられ前記第１の筐体が閉じられると連動して回動するピニオンギヤと、
前記ピニオンギヤに噛み合うラックギヤと、
前記ラックギヤに設けられ進行方向に傾斜した斜面を有する楔状部材と、
前記メスコネクタの貫通孔に前記第２の筐体内から挿入自在で前記楔状部材の斜面が接触すると前記メスコネクタに挿入されたオスコネクタの先端と接触してメスコネクタから押し出す楔状部材付きロッドと、を備えたことを特徴とする請求項１記載の情報処理装置。
【請求項５】
前記メスコネクタは、前記オスコネクタが差し込まれる貫通孔が形成され、
前記押し出し手段は、前記メスコネクタの貫通孔に前記第２の筐体内から外部に向かって挿入自在なロッドと、
前記ロッドの前記第２の筐体側の端部に設けられた永久磁石と、
前記永久磁石と反発する磁力線を発する電磁石と、
前記第１の筐体が閉じられると検知し、前記電磁石を駆動させる駆動信号を発する検知手段と、
を備えたことを特徴とする請求項１記載の情報処理装置。
【請求項６】
前記メスコネクタは、前記オスコネクタが差し込まれる貫通孔が形成され、
前記押し出し手段は、前記メスコネクタの貫通孔に前記第２の筐体内から外部に向かって挿入自在なロッドと、
前記ロッドの前記第２の筐体側の端部に設けられた永久磁石と、
前記永久磁石と反発する磁力線を発する電磁石と、
前記第１の筐体が閉じられると検知する検知手段と、
前記検知手段が前記前記第１の筐体が閉じられたことを検知すると、前記メスコネクタに接続されたオスコネクタにさらに接続されたデバイスと論理的に切断してから前記電磁石を駆動させる駆動信号を発する発信手段と、
を備えたことを特徴とする請求項１記載の情報処理装置。
【請求項７】
前記メスコネクタは、前記オスコネクタが差し込まれる貫通孔が形成され、
前記貫通孔に前記第２の筐体側から挿入可能なロッドと、
前記ロッドを前記メスコネクタに挿入するように付勢する付勢手段と、
前記メスコネクタに前記オスコネクタが差し込まれるとロックするロック手段と、
前記第１の筐体が閉じられると、前記ロックを解除する解除手段と、
を備えたことを特徴とする請求項１記載の情報処理装置。
【請求項８】
第１の筐体と第２の筐体とがヒンジ部により少なくとも開状態または閉状態になるように回動自在に連結された折り畳み型の情報処理装置の制御方法であって、
電子機器に接続され、該情報処理装置が開状態のときに前記第２の筐体のメスコネクタに差し込まれたオスコネクタを、該情報処理装置が閉状態になると前記メスコネクタから押し出すことを特徴とする情報処理装置の制御方法。
【請求項９】
第１の筐体と第２の筐体とがヒンジ部により少なくとも開状態または閉状態になるように回動自在に連結され、オスコネクタが差し込まれる貫通孔が形成されたメスコネクタを有する折り畳み型の情報処理装置のコンピュータに、
移動手段が、前記メスコネクタの貫通孔に前記第２の筐体内から挿入自在なロッドを前記貫通孔に移動させる手順、
検知手段が、前記第１の筐体が閉じられると検知し、前記移動手段を駆動させる駆動信号を発する手順、
を実行させることを特徴とするプログラム。
【発明の詳細な説明】
【技術分野】
【０００１】
本発明は、情報処理装置、情報処理装置の制御方法、及びプログラムに関する。
【背景技術】
【０００２】
情報機器の発達に伴い、種々の情報機器が開発されている。卓上もしくは膝上で操作するノートパソコンもその一つである。
ノートパソコンは、例えば、外出先で使用されたり、自宅や職場で使用されたりする。ノートパソコンが外出先で使用される時は、ケーブル類は接続されないが、自宅や職場で使用される場合には、内蔵バッテリーを充電したり、プリンタを接続したり、マウス操作したりするためケーブル類が接続される。
【０００３】
ここで、机の上に置かれたノートパソコンを、ユーザーが外部に持ち出す場合には、ケーブル類による接続を取り外せる状態にしてから、ケーブル類を１本ずつ手作業で引き抜いたり、治具を用いて引き抜いたりしていた（例えば、特許文献１参照。）。
【０００４】
特許文献１に記載の発明は、コネクタ抜き取り工具に関するものであり、具体的には、弾性を有する板材をほぼＵ字形に曲げ、その曲面を境に一方の平板部を他方の平板部より長くすると共に、その長い方の平板部の先端を短い方の平板部と反対の方向に折り曲げて斜面とし、短い方の平板部の先端を長い方の平板部側にほぼ直角に曲げて係合部を形成した構造としたものである。
【先行技術文献】
【特許文献】
【０００５】
【特許文献１】特開２００６−１００００８号公報
【発明の概要】
【発明が解決しようとする課題】
【０００６】
しかしながら、特許文献１に記載の発明は、電話のモジューラージャックやＬＡＮ（Local Area Network）ケーブル接続用のＲＪ−４５プラグ等のレジスタードジャック（Registered Jack: RJ）の取り外しが容易になるものの、ユーザーによる取り外し動作が必要なため煩わしいという問題があった。
【０００７】
そこで、本発明の目的は、蓋を閉じるとオスコネクタが装置本体のメスコネクタから外れる情報処理装置、情報処理装置の制御方法、及びプログラムを提供することにある。
【課題を解決するための手段】
【０００８】
上記課題を解決するため、請求項１に記載の発明は、第１の筐体と第２の筐体とがヒンジ部により少なくとも開状態または閉状態になるように回動自在に連結された折り畳み型の情報処理装置であって、電子機器に接続され、該情報処理装置が開状態のときに前記第２の筐体のメスコネクタに差し込まれたオスコネクタを、該情報処理装置が閉状態になると前記メスコネクタから押し出す押し出し手段を有することを特徴とする。
【発明の効果】
【０００９】
本発明によれば、蓋を閉じるとオスコネクタが装置本体のメスコネクタから外れる情報処理装置、情報処理装置の制御方法、及びプログラムの提供を実現することができる。
【図面の簡単な説明】
【００１０】
【図１】情報処理装置としてのノートパソコン１００にケーブル類を接続して使用中の状態を示す図である。
【図２】図１に示したノートパソコン１００のブロック図の一例である。
【図３】図１に示したノートパソコン１００に用いられている押し出し手段の一実施の形態を示す概念図である。
【図４】図１に示したノートパソコン１００の動作を示すフローチャートの一例である。
【図５】図１に示したノートパソコン１００を閉じた状態を示す図である。
【図６】図１に示したノートパソコン１００の動作の変形例を示すフローチャートである。
【図７】他の実施形態に係る情報処理装置としてのノートパソコン１００の概念図である。
【図８】他の実施形態に係る情報処理装置としてのノートパソコン１００の概念図である。
【図９】（ａ）は、ＵＳＢ用のオスコネクタの正面図であり、（ｂ）は、ＵＳＢ用のメスコネクタの正面図である。
【図１０】（ａ）は、図１に示したノートパソコン１００に用いられる押し出し手段の変形例を示す側面図であり、（ｂ）は、（ａ）に示した押し出し手段の押し出し後の状態を示す側面図である。
【発明を実施するための形態】
【００１１】
本実施の形態について図面を参照して説明する。
［概  要］
本実施形態のノートパソコンは、第１の筐体と第２の筐体とがヒンジ部により回動自在に連結された折り畳み型の情報処理装置であって、電子機器に接続され、開状態のときに装置本体のメスコネクタに差し込まれたオスコネクタが、閉状態になると押し出し手段によりメスコネクタから押し出されるようにしたものである。
【００１２】
［実施形態１］
＜構  成＞
図１は、一実施形態に係る情報処理装置としてのノートパソコン１００にケーブル類を接続して使用中の状態を示す図である。
ノートパソコン１００を使用する際は、装置本体１２０上の第１の筐体としての蓋部１２１を開いた状態で、例えば、第２の筐体としての装置本体１２０の側面（機種によっては背面）に電源ケーブルのオスコネクタ２０３、マウス１０２のオスコネクタ２０４、プリンタケーブルのオスコネクタ２０１、イヤホン１１７のオスコネクタ（プラグとも言う）２０２や図示しないＵＳＢ（Universal Serial Bus)フラッシュメモリのオスコネクタが接続される。
ノートパソコン１００の装置本体１２０の各メスコネクタには、オスコネクタが差し込まれる貫通孔が形成されている。
【００１３】
ここで、メスコネクタの貫通孔とは、オスコネクタが挿入可能な内径及び長さを有し、両側に開放端を有する孔を意味する。すなわち、一方の開放端（装置本体１２０の外側）からオスコネクタが挿入されたメスコネクタの他方の開放端（装置本体１２０の内部）から図には示されないロッドが挿入可能であり、かつロッドを貫通孔に押し込むことでメスコネクタからオスコネクタを押し出すことが可能である。
【００１４】
図２は、図１に示したノートパソコン１００のブロック図の一例である。
ノートパソコン１００は、キーボード１０１、マウス１０２、カメラ（Ｗｅｂカメラ）１０３、表示装置１０４、光学読取装置１０５、ＨＤＤ（Hard Disc Drive）１０６、制御部１０７、ＲＡＭ(Random Access Memory：読み出し／書き込みメモリ)１０８、ＲＯＭ(Read Only Memory：読み出し専用メモリ)１０９、Ｉ／Ｏ(Input/Output)１１０、及び無線ＬＡＮインターフェイス１１１を有する。
尚、１１１はバスラインである。
【００１５】
キーボード１０１は、例えば、ＱＷＥＲＴＹ配列の英字キー、数字キー、テンキー、スペースキー、エンターキー、ファンクションキー、デリートキー、及びスペースキー等の通常の入力キーを有する。
【００１６】
マウス１０２は、左ボタン、右ボタン、及びホイールボタンを有してもよく、１ボタンでもよく、パッドになっていてもよい。
【００１７】
カメラ１０３は、ノートパソコン１００の蓋部１２１の上側の中央にユーザー側に向かって設けられており、例えばＣＣＤ（Charge-Coupled Device）が用いられる。
【００１８】
表示装置１０４は、画像情報や文字情報を表示する機能を有し、例えば液晶ディスプレイが用いられるが、液晶ディスプレイの代わりにプラズマディスプレイを用いてもよい。
【００１９】
光学読取装置１０５は、例えば、ＤＶＤ（Digital Versatile Disc）、ＣＤ（Compact Disc）、ＣＤ−Ｒ（CD Recordable）等の光学媒体を読み取る装置であるが、搭載してなくてもよい。
【００２０】
ＨＤＤ１０６は、文字データ、画像データ、音声データ等のデータをＲＡＭ１０８に比べて大容量のデータを記憶するための記憶装置である。ＨＤＤ１０６の代わりにＳＳＤ（Solid State Drive）を用いてもよい。
【００２１】
制御部１０７は、ノートパソコン１００を統括制御する機能を有し、例えば、マイクロプロセッサのＣＰＵ（Central Processing Unit:中央演算処理装置）を含む回路である。制御部１０７は、ソフトウェアとして入力制御手段１０７ａ、解析手段１０７ｂ、ディスク制御手段１０７ｃ、及び表示装置制御手段１０７ｄを有する。
【００２２】
入力制御手段１０７ａは、キーボード１０１、マウス１０２、カメラ１０３、及び光学読取装置１０５からのデータを管理する。
【００２３】
破線で示す判断手段１０７ｂは、後述する抜個別設定が可能な場合に設けられる手段であり、ユーザーが所望するコネクタもしくはプラグが蓋部１２１を閉じても抜けないように設定されているか否かを判断する機能を有する。
【００２４】
ディスク制御手段１０７ｄは、光学読取装置１０５に挿入された光学媒体の種類を判別し、文字データ、画像データ、音声データの読み出しの管理を行う。
表示装置制御手段１０７ｅは、表示装置１０４の画像表示を管理する。
【００２５】
ＲＡＭ１０８は、例えばＤＲＡＭ（Dynamic RAM）が用いられる。
ＲＯＭ１０９は、例えばフラッシュメモリが用いられる。
Ｉ／Ｏ１１０は、ノートパソコン１００と、図には示されないＵＳＢ（Universal Serial Bus）フラッシュメモリを含む外部のデバイスとのデータの授受を管理する機能を有するデバイスである。
【００２６】
無線ＬＡＮインターフェイス１１１は、インターネットに接続するためのデバイスである。
【００２７】
破線で示すセンサ１１４は、蓋部１２１が閉じたか否かを検出するセンサであり、例えばマイクロスイッチ、磁気センサ（例えば、ホール素子）が用いられる。センサ１１４は、蓋部１２１が閉じたか否かを検出する場合に用いられ、後述する機械的にオスコネクタを押し出す場合には不要である。
破線で示す駆動回路１１５は、モーター１１６を駆動する回路である。駆動回路１１５及びモーター１１６は、メスコネクタから選択的にオスコネクタを押し出す場合に用いられる。
【００２８】
図３は、図１に示したノートパソコン１００に用いられている押し出し手段の一実施の形態を示す概念図である。
尚、図では４つのメスコネクタに押し出し手段１１６ａ〜１１６ｄが設けられているが、他のメスコネクタにも設けられている。
図３に示す押し出し手段１１６ａは、メスコネクタの貫通孔に装置本体１２０の内側から挿入自在なロッド１１６ａｌと、モーター１１６ａｍと、モーター１１６ａの出力軸の回転に応じて所定の回転数で回転する、図には示されないピニオンギヤと、ロッド１１６ａｌの他端に設けられ、ピニオンギヤと噛み合う図には示されないラックギヤと、蓋部１２１が閉じられると検知し、モーター１１６ａｍを駆動させる駆動信号を発する図には示されない検知手段としてのセンサと、を備える。
【００２９】
押し出し手段１１６ｂは、メスコネクタの貫通孔に装置本体１２０の内側から一端が挿入自在なロッド１１６ｂｌと、モーター１１６ｂｍと、モーター１１６ｂの出力軸の回転に応じて所定の回転数で回転する、図には示されないピニオンギヤと、ロッド１１６ｂｌの他端に設けられ、ピニオンギヤと噛み合う図には示されないラックギヤと、蓋部１２１が閉じられると検知し、モーター１１６ｂｍを駆動させる駆動信号を発する図には示されない検知手段としてのセンサと、を備える。
【００３０】
同様に、押し出し手段１１６ｃもロッド１１６ｃｌ、モーター１１６ｃｍ、ピニオンギヤ、ラックギヤ、及びセンサを備え、押し出し手段１１６ｄもロッド１１６ｄｌ、モーター１１６ｄｍ、ピニオンギヤ、ラックギヤ、及びセンサを備える。
【００３１】
＜動  作＞
図４は、図１に示したノートパソコン１００の動作を示すフローチャートの一例である。
図４に示したフローチャートの動作の主体は、制御部１０７（図２参照）である。
まず、制御部１０７は、抜個別設定が有るか否かを判断する。抜個別設定とは、ノートパソコン１００の蓋部１２１を矢印Ｐ１方向（図３参照）に閉じた時にどのオスコネクタが外れるのかの設定を意味する（ステップＳ１）。
【００３２】
制御部１０７は、抜個別設定が無いと判断した場合（ステップＳ１／Ｎｏ）、蓋部（図ではディスプレイと表記）１２１が閉状態か否かを判断し（ステップＳ２）、閉じていない場合には待機し（ステップＳ２／Ｎｏ）、閉じている場合には（ステップＳ２／Ｙｅｓ）、電源用のオスコネクタ（図では電源プラグと表記）解除、ＵＳＢ用のオスコネクタ（図ではＵＳＢプラグと表記）解除、プリンタ用のオスコネクタ（図ではプリンタコネクタと表記）解除、及びイヤホン１１７用のオスコネクタ（図ではイヤホンコネクタと表記）解除が行われる。ここで、解除とは、メスコネクタからオスコネクタが矢印Ｐ２、Ｐ３、Ｐ４、Ｐ５方向（図３参照）に押し出されることを意味する。
【００３３】
制御部１０７は、抜個別設定が有ると判断した場合（ステップＳ１／Ｙｅｓ）、抜個別設定例が、電源プラグ／ｏｎ、ＵＳＢプラグ／ｏｆｆ、プリンタコネクタ／ｏｆｆ、及びイヤホンコネクタ／ｏｆｆの場合（ステップＳ４）、蓋部（ディスプレイ）１２１が閉状態か否かを判断し（ステップＳ５）、閉じていない場合には待機し（ステップＳ５／Ｎｏ）、閉じている場合には（ステップＳ５／Ｙｅｓ）、電源プラグを解除する（ステップＳ６）。
【００３４】
制御部１０７は、抜個別設定が有ると判断した場合であって（ステップＳ１／Ｙｅｓ）、抜個別設定例が、電源プラグ／ｏｎ、ＵＳＢプラグ／ｏｎ、プリンタコネクタ／ｏｆｆ、及びイヤホンコネクタ／ｏｆｆの場合（ステップＳ７）、蓋部（ディスプレイ）１２１が閉状態か否かを判断し（ステップＳ８）、閉じていない場合には待機し（ステップＳ８／Ｎｏ）、閉じている場合には（ステップＳ８／Ｙｅｓ）、電源プラグを解除し、ＵＳＢプラグを解除する（ステップＳ９）。
【００３５】
制御部１０７は、抜個別設定が有ると判断した場合であって（ステップＳ１／Ｙｅｓ）、抜個別設定例が、電源プラグ／ｏｆｆ、ＵＳＢプラグ／ｏｆｆ、プリンタコネクタ／ｏｆｆ、及びイヤホンコネクタ／ｏｎの場合（ステップＳ１０）、蓋部（ディスプレイ）１２１が閉状態か否かを判断し（ステップＳ１１）、閉じていない場合には待機し（ステップＳ１１／Ｎｏ）、閉じている場合には（ステップＳ１１／Ｙｅｓ）、イヤホンコネクタを解除し（ステップＳ１２）、以下抜個別設定例に従ってメスコネクタの解除を行う。
【００３６】
図５は、図１に示したノートパソコン１００を閉じた状態を示す図である。
図５に示すように、ノートパソコン１００が閉じられると、ノートパソコン１００の装置本体１２０の各メスコネクタに接続されていたプリンタケーブルのオスコネクタ２０１、イヤホン１１７用のオスコネクタ２０２、電源ケーブル用のオスコネクタ２０３、及びマウス１０２用のオスコネクタ２０４が各メスコネクタから押し出されて外れることが分かる。
ここで、本実施形態においては、モーターへの給電は、蓋部１２１が閉じると同時に行う場合で説明したが、本発明はこれに限定されるものではなく、メスコネクタに接続されたデバイスが例えば、ＵＳＢフラッシュメモリの場合、論理的に切断してからモーターへ給電させるように構成してもよい。すなわち、上記構成に加え、第１の筐体が閉じられると検知する検知手段と、検知手段が第１の筐体が閉じられたことを検知すると、メスコネクタに接続されたオスコネクタにさらに接続されたデバイスと論理的に切断してからモーターを駆動させる駆動信号を発する発信手段と、を備えてもよい。検知手段としては、例えばマイクロスイッチ、フォトインタラプタ、もしくはホール素子と永久磁石との組み合わせが挙げられる。
【００３７】
［変形例１］
図６は、図１に示したノートパソコン１００の動作の変形例を示すフローチャートである。
図６に示した変形例の図４に示した実施形態との相違点は、オスコネクタがＵＳＢフラッシュメモリに接続されている場合の処理を考慮している点である。
制御の主体は、図２に示した制御部１０７である。
制御部１０７は、ソフトウェアでＵＳＢ用のオスコネクタを安全に抜けるようにするか否か判断する（ステップＳ１１）。
制御部１０７は、ソフトウェアでＵＳＢ用のオスコネクタを安全に抜けるようにしない場合（ステップＳ１１／Ｎｏ）、ディスプレイ閉状態か否かを判断し（ステップＳ１２）、閉状態でない場合（ステップＳ１２／Ｎｏ）は待機し、閉状態である場合（ステップＳ１２／Ｙｅｓ）、ＵＳＢプラグを解除する（ステップＳ１３）。
【００３８】
制御部１０７は、ソフトウェアでＵＳＢ用のオスコネクタを安全に抜けるようにする場合（ステップＳ１１／Ｙｅｓ）、ディスプレイ閉状態か否かを判断し（ステップＳ１４）、閉状態でない場合（ステップＳ）は待機し、閉状態である場合（ステップＳ１４／Ｙｅｓ）、ＵＳＢプラグを安全に抜く処理が行われ（ステップＳ１５）、ＵＳＢプラグがメスコネクタから外される。
尚、安全にとは、ＵＳＢフラッシュメモリがハードウェア的にもソフトウェア的にも破壊されることなくという意味である。
【００３９】
［実施形態２］
図７は、他の実施形態に係る情報処理装置としてのノートパソコン１００の概念図である。
図７に示した実施形態の図３に示した実施形態との相違点は、図３に示した実施の形態がハードウェア及びソフトウェア的にオスコネクタの押し出しを行うのに対し、図７に示した実施の形態は、ハードウェア的にオスコネクタの押し出しを行う点である。
【００４０】
＜構  成＞
図７に示す実施の形態において、押し出し手段３００ａは、ヒンジ部１２２Ｌに設けられ蓋部１２１が矢印Ｐ１０方向に閉じられると連動して回動するピニオンギヤ３０１Ｌ、ギヤ３０２Ｌと、ギヤ３０２Ｌに噛み合うラックギヤ３０３Ｌと、ラックギヤ３０３Ｌに設けられ進行方向に傾斜した斜面を有する楔状部材３０４Ｌと、メスコネクタの貫通孔に装置本体１２０内から挿入自在で楔状部材３０４Ｌの斜面が接触するとメスコネクタに挿入されたオスコネクタの先端と接触してメスコネクタから押し出す楔状部材３０５Ｌ付きのロッド３０６Ｌと、を備えたものである。
【００４１】
押し出し手段３００ｂは、ヒンジ部１２２Ｌに設けられ蓋部１２１が矢印Ｐ１１方向に閉じられると連動して矢印Ｐ１２方向に回動するピニオンギヤ３０１Ｌと、ピニオンギヤ３０１Ｌと噛み合い、ピニオンギヤ３０１Ｌの回動方向と逆の矢印Ｐ１３方向に回転するギヤ３０２Ｌと、ギヤ３０２Ｌと噛み合い矢印Ｐ１４方向に進むラックギヤ３０３Ｌと、ラックギヤ３０３Ｌに設けられ進行方向（矢印Ｐ１４方向）に傾斜した斜面を有する楔状部材３０７Ｌと、メスコネクタの貫通孔に装置本体１２０内から挿入自在で楔状部材３０７Ｌの斜面が接触するとメスコネクタに挿入されたオスコネクタの先端と接触してメスコネクタから押し出す楔状部材３０９Ｌ付きのロッド３０６Ｌと、を備えている。
ここで、ギヤ３０２Ｌ、３０２Ｒは、蓋部１２１を閉じたときにラックギヤ３０３Ｌ、３０３Ｒをユーザー側（矢印Ｐ１４、Ｐ１７方向）に進ませるためピニオンギヤ３０１Ｌ、３０１Ｒの回転方向を反転させるためのギヤである。
【００４２】
同様に、押し出し手段３００ｃは、ピニオンギヤ３０１Ｒ、ギヤ３０２Ｒ、ラックギヤ３０３Ｒ、楔状部材３０４Ｒ、３０５Ｒ、ロッド３０６Ｒを備え、押し出し手段３０ｄは、ピニオンギヤ３０１Ｒ、ギヤ３０２Ｒ、ラックギヤ３０３Ｒ、楔状部材３０７Ｒ、３０９Ｒを備えている。
【００４３】
＜動  作＞
ノートパソコン１００の蓋部１２１を矢印Ｐ１１方向に閉じると、ヒンジ部１２２Ｌ、１２２Ｒにそれぞれヒンジ部１２２Ｌ、１２２Ｒの回動軸と同軸に設けられたピニオンギヤ３０１Ｌ、３０１Ｒが閉じる方向（矢印Ｐ１２方向）に回動する。ピニオンギヤ３０１Ｌ、３０１Ｒが矢印Ｐ１２、Ｐ１３方向に回動すると、ギヤ３０２Ｌ、３０２Ｒが矢印Ｐ１３方向に回動する。ギヤ３０２Ｌ、３０２Ｒが矢印Ｐ１３方向に回動するとラックギヤ３０３Ｌ、３０３Ｒが矢印Ｐ１４、Ｐ１７方向に移動する。ラックギヤ３０３Ｌが矢印Ｐ１４方向に移動すると、楔状部材３０４Ｌ、３０７Ｌも矢印Ｐ１４方向に移動する。楔状部材３０４Ｌ、３０７Ｌが矢印Ｐ１４方向に移動すると、楔状部材３０４Ｌ、３０７Ｌの斜面がロッド３０６Ｌ、３０９Ｌの楔状部材３０５Ｌ、３０９Ｌの斜面に当たることにより、ロッド３０６Ｌ、３０８Ｌに外側に向かう力が働き、ロッド３０６Ｌ、３０８Ｌがメスコネクタ内を進み、オスコネクタ２０１，２０２を矢印Ｐ１５、Ｐ１６方向に押し出す。
【００４４】
ピニオンギヤ３０１Ｒ、ギヤ３０２Ｒ、ラックギヤ３０３Ｒもピニオンギヤ３０１Ｌ、ギヤ３０２Ｌ、ラックギヤ３０３Ｌと同様に回動し、移動する。これにより、楔状部材３０４Ｒ、３０７Ｒが楔状部材３０５Ｒ、３０９Ｒを押すことにより、ロッド３０６Ｒ、３０８Ｒがメスコネクタ内を進み、オスコネクタ２０１、２０２を矢印Ｐ１５、Ｐ１６方向に押し出す。
【００４５】
同様に蓋部１２１の矢印Ｐ１１方向に閉じることにより、ピンオンギヤ３０１Ｒ、ギヤ３０２Ｒの回動、ラックギヤ３０３Ｒの矢印Ｐ１７方向の移動により楔状部材３０４Ｒ、３０７Ｒが楔状部材３０５Ｒ、３０９Ｒに当たり、ロッド３０６Ｒ、３０８Ｒがメスコネクタ内を進み、オスコネクタ２０３、２０４を矢印Ｐ１８、Ｅ１９方向に押し出す。
【００４６】
［実施形態３］
図８は、他の実施形態に係る情報処理装置としてのノートパソコン１００の概念図である。
図８に示した実施の形態の図７に示した実施の形態との相違点は、ロッドに永久磁石を設け、電磁石によりロッドを移動させる点である。
【００４７】
＜構  成＞
図８に示す実施の形態において、押し出し手段４００ａは、メスコネクタの貫通孔に装置本体１２０内から外部に向かって挿入自在なロッド４０２Ｌと、ロッド４０２Ｌの装置本体１２０側の端部に設けられた永久磁石４０２ＭＬと、永久磁石４０２ＭＬと反発する磁力線を発する電磁石４０１Ｌと、蓋部１２１が閉じられると検知し、電磁石４０１Ｌを駆動させる駆動信号を発する図には示されない検知手段としてのセンサ（例えば、ホール素子、もしくはマイクロスイッチ）と、を備えている。
【００４８】
同様に、押し出し手段４００ｂは、電磁石４０３Ｌと、ロッド４０４Ｌと、永久磁石４０４ＭＬと、ロッド４０４Ｌと、図示しないセンサと、を備えており、押し出し手段４００ｃは、電磁石４０５Ｒと、永久磁石４０６ＭＲと、ロッド４０６Ｒと、を備えており、押し出し手段４００ｄは、電磁石４０７Ｒと、永久磁石４０８ＭＲと、ロッド４０８Ｒと、図示しないセンサと、を備えている。
電磁石４０１Ｌ、４０３Ｌ、４０５Ｒ、４０７Ｒのうち、いずれを作動させるかは図４に示したフローチャートを利用してソフトウェア的に設定することが可能である。
【００４９】
＜動  作＞
蓋部１２１を閉じると、センサが検知し、予め設定された電磁石に電流が流れることで永久磁石との間で反発力が発生し、対応するロッドがメスコネクタ内を進み、オスコネクタがメスコネクタから押し出される。
ここで、本実施形態においては、電磁石への給電は、蓋部１２１が閉じると同時に行う場合で説明したが、本発明はこれに限定されるものではなく、メスコネクタに接続されたデバイスが例えば、ＵＳＢフラッシュメモリの場合、論理的に切断してから電磁石を作動させるように構成してもよい。すなわち、上記構成に加え、第１の筐体が閉じられると検知する検知手段と、検知手段が前記第１の筐体が閉じられたことを検知すると、メスコネクタに接続されたオスコネクタにさらに接続されたデバイスと論理的に切断してから電磁石を駆動させる駆動信号を発する発信手段と、を備えてもよい。検知手段としては、例えばマイクロスイッチ、フォトインタラプタ、もしくはホール素子と永久磁石との組み合わせが挙げられる。
【００５０】
［変形例２］
図９（ａ）は、ＵＳＢ用のオスコネクタの正面図であり、図９（ｂ）は、ＵＳＢ用のメスコネクタの正面図である。図１０（ａ）は、図１に示したノートパソコン１００に用いられる押し出し手段の変形例を示す側面図であり、図１０（ｂ）は、図１０（ａ）に示した押し出し手段の押し出し後の状態を示す側面図である。
【００５１】
＜構  成＞
メスコネクタ４０１は、図９（ｂ）に示すように貫通孔４０２が形成されており、押し出し手段は、メスコネクタ４０１に挿入されているオスコネクタ２０１の基板２０２０を押すことにより、メスコネクタ４０１からオスコネクタ２０１を押し出す。
【００５２】
押し出し手段は、一端（図では右端）がオスコネクタ２０１と接触するロッド５０２、ロッド５０２の他端（この場合左端）に設けられたシアー（逆鉤）５０１、シアー５０１とメスコネクタ４０１との間に設けられロッド５０２をメスコネクタ４０１内に挿入するように付勢する弾性体（例えば、コイルスプリング）５０３、シアー５０１の一端（この場合上端）を着脱自在に引き留めるトリガー５０５、トリガー５０５をロッド５０２に沿ってメスコネクタ４０１側に付勢する弾性体５０４、及びトリガー５０５をシアー５０１から外すための解除部材５０６を備える。
【００５３】
解除部材５０６は、例えば、蓋部１２１（図１参照）を閉じるとトリガー５０５に当たるように蓋部１２１に固定された突起でもよく、蓋部１２１に設けられ、ＵＳＢ用のオスコネクタ２０１を安全に抜く処理（図６のステップＳ１５相当）が完了すると、蓋部１２１からトリガー５０５に当たるようにモーター及びギヤ、もしくは磁石及び永久磁石を用いて飛び出すように構成されたロッドであってもよい。但し、解除部材５０６が蓋部１２１に固定された突起の場合には、ＵＳＢ用オスコネクタを安全に抜く処理が終了していることを前提とする。
【００５４】
＜動  作＞
ＵＳＢ用のオスコネクタ２０１をメスコネクタ４０１に差し込むと、ロッド５０２が装置本体１２０内に押し込まれ、シアー５０１がトリガー５０５にロックされる（図１０（ａ））。
【００５５】
蓋部１２１が閉じられ、解除部材５０６が、トリガー５０５の胴体部（図の左側）を矢印Ｐ３１方向に押すと、トリガー５０５は支点５０５ａを中心として矢印Ｐ３２方向に回動する。トリガー５０５が回動することによりシアー５０１はロックが解除され、弾性体５０３の復元力によりロッド５０２と共に、矢印Ｐ３３方向に移動する。ロッド５０２の移動により、オスコネクタ２０１はメスコネクタ４０１から装置本体１２０の外部に押し出される。シアー５０１及びロッド５０２がメスコネクタ４０１に挿入した状態になると、トリガー５０５は弾性体５０４の復元力により矢印Ｐ３２とは逆方向に回動後停止して待機状態となる（図１０（ｂ））。
【００５６】
＜プログラム＞
以上で説明した本発明にかかる情報処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００５７】
例えば、情報処理装置が、図３もしくは図８ソフトウェア的に作動する場合、
第１の筐体と第２の筐体とがヒンジ部により少なくとも開状態または閉状態になるように回動自在に連結され、オスコネクタが差し込まれる貫通孔が形成されたメスコネクタを有する折り畳み型の情報処理装置のコンピュータに、
移動手段が、メスコネクタの貫通孔に第２の筐体内から挿入自在なロッドを貫通孔に移動させる手順、
検知手段が、第１の筐体が閉じられると検知し、移動手段を駆動させる駆動信号を発する手順、
を実行させるプログラムが挙げられる。
【００５８】
これにより、プログラムが実行可能なコンピュータ環境さえあれば、どこにおいても本発明にかかる情報処理装置を実現することができる。
【００５９】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリ、ＲＡＭ、ＲＯＭ、ＦｅＲＡＭ（強誘電体メモリ）等の半導体メモリやＨＤＤが挙げられる。
【００６０】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００６１】
１００    ノートパソコン
１０１    キーボード
１０２    マウス
１０３    カメラ
１０４    表示装置
１０５    光学読取装置
１０６    ＨＤＤ
１０７    制御部
１０７ａ    入力制御手段
１０７ｂ    判断手段
１０７ｃ    割り込み制御手段
１０７ｄ    ディスク制御手段
１０７ｅ    表示装置制御手段
１０８    ＲＡＭ
１０９    ＲＯＭ
１１０    Ｉ／Ｏ
１１１    バスライン
１１２    無線ＬＡＮインターフェイス
１１４  センサ
１１５    駆動回路
１１６、１１６ａｍ、１１６ｂｍ、１１６ｃｍ、１１６ｄｍ    モーター
１１６ａ、１１６ｂ、１１６ｃ、１１６ｄ、３００ａ、３００ｂ、３００ｃ、３００ｄ、４００ａ、４００ｂ、４００ｃ、４００ｄ    押し出し手段
１１６ａｌ、１１６ｂｌ、１１６ｄｌ、１１６ｄｍ、４０２Ｌ、４０４Ｌ、４０６Ｒ、４０８Ｒ、５０２    ロッド
１２０    装置本体
１２１    蓋部（ディスプレイ）
１２２Ｌ、１２２Ｒ    ヒンジ部
２０１、２０２、２０３、２０４    オスコネクタ
３０１Ｌ、３０２Ｒ    ピニオンギヤ
３０２Ｌ、３０２Ｒ    ギヤ
３０３Ｌ、３０３Ｒ    ラックギヤ
３０５Ｌ、３０９Ｌ、３０５Ｒ、３０９Ｒ    楔状部材
４０１    メスコネクタ
４０１Ｌ、４０３Ｌ、４０５Ｒ、４０７Ｒ    電磁石
４０２    貫通孔
４０２ＭＬ、４０４ＭＬ、４０６Ｒ、４０８Ｒ    永久磁石
５０１    シアー
５０３、５０４    弾性体
５０５    トリガー
５０６    解除部材
【図１】
2014123178.tif 000003
【図２】
2014123178.tif 000004
【図３】
2014123178.tif 000005
【図４】
2014123178.tif 000006
【図５】
2014123178.tif 000007
【図６】
2014123178.tif 000008
【図７】
2014123178.tif 000009
【図８】
2014123178.tif 000010
【図９】
2014123178.tif 000011
【図１０】
2014123178.tif 000012